(57)【特許請求の範囲】
【請求項１】
画像を記憶している画像記憶手段と、
この画像記憶手段に記憶されている画像の中に含まれている顔画像を検出する顔画像検出手段と、
この顔画像検出手段により検出された顔画像に対応する似顔絵画像を作成する似顔絵画像作成手段と、
この似顔絵画像作成手段により作成された似顔絵画像と前記顔画像を除いた背景画像とを互いに異なる種類の絵画風画像にそれぞれ変換し、この変換された絵画風似顔絵画像と絵画風背景画像とを合成して絵画風画像を作成する絵画風画像作成手段と、
を備えていることを特徴とする画像処理装置。
【請求項２】
前記似顔絵画像作成手段は、
複数の部位毎に複数の部分画像を記憶している部分画像記憶手段と、
前記顔画像検出手段により検出された顔画像を構成している部位毎の部分画像と同じまたは似ている部分画像を前記部分画像記憶手段から部位毎に読み出し、この読み出された部位毎の部分画像を組み合わせて似顔絵画像を作成する画像作成手段と、
を備えていることを特徴とする請求項１記載の画像処理装置。
【請求項３】
前記似顔絵画像作成手段は、
複数の部位毎に複数の部分画像を記憶している部分画像記憶手段と、
前記顔画像検出手段により検出された顔画像を構成している部位毎の部分画像と同じまたは似ている部分画像を前記部分画像記憶手段から部位毎に読み出し、この読み出された部位毎の部分画像を組み合わせて第１の似顔絵画像を作成する第１の画像作成手段と、
この第１の画像作成手段により作成された第１の似顔絵画像のうちの少なくとも一部の部分画像を他の部分画像と置き換え、この置き換えられた他の部分画像と前記置き換えられていない部分画像とを組み合わせて第２の似顔絵画像を似顔絵画像として作成する第２の画像作成手段と、
を備えていることを特徴とする請求項１記載の画像処理装置。
【請求項４】
前記絵画風画像作成手段は、
前記似顔絵画像作成手段により作成された似顔絵画像と前記顔画像を除いた背景画像とに対してそれぞれ施される複数の絵画風画像の種類を表示させる絵画風画像種類表示制御手段と、
この絵画風画像種類表示制御手段の制御により表示されている複数の絵画風画像の種類の中から前記似顔絵画像と前記背景画像とに施される絵画風画像の種類を選択する選択手段と、
この選択手段により選択された絵画風画像の種類に対応して、前記似顔絵画像と前記背景画像とを互いに異なる種類の絵画風画像に変換し、この変換された絵画風似顔絵画像と絵画風背景画像とを合成する絵画風画像合成手段と、
を備えていることを特徴とする請求項１記載の画像処理装置。
【請求項５】
前記絵画風画像作成手段により合成された絵画風画像を表示させる表示制御手段を備えることを特徴とする請求項１記載の画像処理装置。
【請求項６】
画像を記憶している画像記憶部と、画像を表示する表示部とを備えている画像処理装置に用いられる画像処理方法において、
この画像記憶部に記憶されている画像の中に含まれている顔画像を検出する顔画像検出ステップと、
この顔画像検出ステップにより検出された顔画像に対応する似顔絵画像を作成する似顔絵画像作成ステップと、
この似顔絵画像作成ステップにより作成された似顔絵画像と前記顔画像を除いた背景画像とを互いに異なる種類の絵画風画像にそれぞれ変換し、この変換された絵画風似顔絵画像と絵画風背景画像とを合成して絵画風画像を作成する絵画風画像作成ステップと、
を備えていることを特徴とする画像処理方法。
【請求項７】
前記似顔絵画像作成ステップは、
複数の部位毎に複数の部分画像を記憶している部分画像記憶手段をアクセスし、前記顔画像検出ステップにより検出された顔画像を構成している部位毎の部分画像と同じまたは似ている部分画像を前記部分画像記憶手段から部位毎に読み出し、この読み出された部位毎の部分画像を組み合わせて似顔絵画像を作成する画像作成ステップと、
を備えていることを特徴とする請求項６記載の画像処理方法。
【請求項８】
前記似顔絵画像作成ステップは、
複数の部位毎に複数の部分画像を記憶している部分画像記憶手段をアクセスし、前記顔画像検出ステップにより検出された顔画像を構成している部位毎の部分画像と同じまたは似ている部分画像を前記部分画像記憶手段から部位毎に読み出し、この読み出された部位毎の部分画像を組み合わせて第１の似顔絵画像を作成する第１の画像作成ステップと、
この第１の画像作成ステップにより作成された第１の似顔絵画像のうちの少なくとも一部の部分画像を他の部分画像と置き換え、この置き換えられた他の部分画像と前記置き換えられていない部分画像とを組み合わせて第２の似顔絵画像を似顔絵画像として作成する第２の画像作成ステップと、
を備えていることを特徴とする請求項６記載の画像処理方法。
【請求項９】
前記絵画風画像作成ステップは、
前記似顔絵画像作成ステップにより作成された似顔絵画像と前記顔画像を除いた背景画像とに対してそれぞれ施される複数の絵画風画像の種類を表示させる絵画風画像種類表示制御ステップと、
この絵画風画像種類表示制御ステップの制御により表示されている複数の絵画風画像の種類の中から前記似顔絵画像と前記背景画像とに施される絵画風画像の種類を選択するために操作される選択手段により選択された絵画風画像の種類に対応して、前記似顔絵画像と前記背景画像とを互いに異なる種類の絵画風画像に変換し、この変換された絵画風似顔絵画像と絵画風背景画像とを合成する絵画風画像合成ステップと、
を備えていることを特徴とする請求項６記載の画像処理方法。
【請求項１０】
前記絵画風画像作成ステップにより合成された絵画風画像を表示させる表示制御ステップを備えることを特徴とする請求項６記載の画像処理方法。
【発明の詳細な説明】
【技術分野】
【０００１】
本発明は、撮影画像に基づいて絵画風画像を作成する画像処理装置及び画像処理方法に関するものである。
【背景技術】
【０００２】
撮影画像から絵画風画像に変換してくれる装置が知られている（例えば下記特許文献１参照）。
【先行技術文献】
【特許文献】
【０００３】
【特許文献１】特開２００４−２１３５９８号公報
【発明の概要】
【発明が解決しようとする課題】
【０００４】
しかしながら、従来のこうした装置の場合、撮影画像を予め定められた画像処理により絵画風画像に変換するのみであり、面白みに欠けるという問題点があった。
【０００５】
この発明は、こうした従来の問題点に鑑みてなされたものであり、鑑賞者の意図を充分に反映した絵画風画像を作成可能な画像処理装置及び画像処理方法を得ることを目的とする。
【課題を解決するための手段】
【０００６】
前記課題を解決するため、請求項１記載の発明に係る画像処理装置は、画像を記憶している画像記憶手段と、この画像記憶手段に記憶されている画像の中に含まれている顔画像を検出する顔画像検出手段と、この顔画像検出手段により検出された顔画像に対応する似顔絵画像を作成する似顔絵画像作成手段と、この似顔絵画像作成手段により作成された似顔絵画像と前記顔画像を除いた背景画像とを互いに異なる種類の絵画風画像にそれぞれ変換し、この変換された絵画風似顔絵画像と絵画風背景画像とを合成して絵画風画像を作成する絵画風画像作成手段と、を備えていることを特徴とする。
【０００７】
また、請求項２記載の発明に係る画像処理装置は、請求項１記載の画像処理装置において、 
前記似顔絵画像作成手段は、
複数の部位毎に複数の部分画像を記憶している部分画像記憶手段と、
前記顔画像検出手段により検出された顔画像を構成している部位毎の部分画像と同じまたは似ている部分画像を前記部分画像記憶手段から部位毎に読み出し、この読み出された部位毎の部分画像を組み合わせて似顔絵画像を作成する画像作成手段と、
を備えていることを特徴とする。
【０００８】
また、請求項３記載の発明に係る画像処理装置は、請求項１記載の画像処理装置において、
前記似顔絵画像作成手段は、
複数の部位毎に複数の部分画像を記憶している部分画像記憶手段と、
前記顔画像検出手段により検出された顔画像を構成している部位毎の部分画像と同じまたは似ている部分画像を前記部分画像記憶手段から部位毎に読み出し、この読み出された部位毎の部分画像を組み合わせて第１の似顔絵画像を作成する第１の画像作成手段と、
この第１の画像作成手段により作成された第１の似顔絵画像のうちの少なくとも一部の部分画像を他の部分画像と置き換え、この置き換えられた他の部分画像と前記置き換えられていない部分画像とを組み合わせて第２の似顔絵画像を似顔絵画像として作成する第２の画像作成手段と、
を備えていることを特徴とする。
【０００９】
また、請求項４記載の発明に係る画像処理装置は、請求項１記載の画像処理装置において、前記絵画風画像作成手段は、前記似顔絵画像作成手段により作成された似顔絵画像と前記顔画像を除いた背景画像とに対してそれぞれ施される複数の絵画風画像の種類を表示させる絵画風画像種類表示制御手段と、この絵画風画像種類表示制御手段の制御により表示されている複数の絵画風画像の種類の中から前記似顔絵画像と前記背景画像とに施される絵画風画像の種類を選択する選択手段と、この選択手段により選択された絵画風画像の種類に対応して、前記似顔絵画像と前記背景画像とを互いに異なる種類の絵画風画像に変換し、この変換された絵画風似顔絵画像と絵画風背景画像とを合成する絵画風画像合成手段と、を備えていることを特徴とする。
【００１０】
また、請求項５記載の発明に係る画像処理装置は、請求項１記載の画像処理装置において、前記絵画風画像作成手段により合成された絵画風画像を表示させる表示制御手段を備えることを特徴とする。
【００１１】
また、請求項６記載の発明に係る画像処理方法は、画像を記憶している画像記憶部と、画像を表示する表示部とを備えている画像処理装置に用いられる画像処理方法において、この画像記憶部に記憶されている画像の中に含まれている顔画像を検出する顔画像検出ステップと、この顔画像検出ステップにより検出された顔画像に対応する似顔絵画像を作成する似顔絵画像作成ステップと、この似顔絵画像作成ステップにより作成された似顔絵画像と前記顔画像を除いた背景画像とを互いに異なる種類の絵画風画像にそれぞれ変換し、この変換された絵画風似顔絵画像と絵画風背景画像とを合成して絵画風画像を作成する絵画風画像作成ステップと、を備えていることを特徴とする。
【００１２】
また、請求項７記載の発明に係る画像処理方法は、請求項６記載の画像処理方法において、
前記似顔絵画像作成ステップは、
複数の部位毎に複数の部分画像を記憶している部分画像記憶手段をアクセスし、前記顔画像検出ステップにより検出された顔画像を構成している部位毎の部分画像と同じまたは似ている部分画像を前記部分画像記憶手段から部位毎に読み出し、この読み出された部位毎の部分画像を組み合わせて似顔絵画像を作成する画像作成ステップと、
を備えていることを特徴とする。
【００１３】
また、請求項８記載の発明に係る画像処理方法は、請求項６記載の画像処理方法において、前記似顔絵画像作成ステップは、複数の部位毎に複数の部分画像を記憶している部分画像記憶手段をアクセスし、前記顔画像検出ステップにより検出された顔画像を構成している部位毎の部分画像と同じまたは似ている部分画像を前記部分画像記憶手段から部位毎に読み出し、この読み出された部位毎の部分画像を組み合わせて第１の似顔絵画像を作成する第１の画像作成ステップと、この第１の画像作成ステップにより作成された第１の似顔絵画像のうちの少なくとも一部の部分画像を他の部分画像と置き換え、この置き換えられた他の部分画像と前記置き換えられていない部分画像とを組み合わせて第２の似顔絵画像を似顔絵画像として作成する第２の画像作成ステップと、を備えていることを特徴とする。
【００１４】
また、請求項９記載の発明に係る画像処理方法は、請求項６記載の画像処理方法において、前記絵画風画像作成ステップは、前記似顔絵画像作成ステップにより作成された似顔絵画像と前記顔画像を除いた背景画像とに対してそれぞれ施される複数の絵画風画像の種類を表示させる絵画風画像種類表示制御ステップと、この絵画風画像種類表示制御ステップの制御により表示されている複数の絵画風画像の種類の中から前記似顔絵画像と前記背景画像とに施される絵画風画像の種類を選択するために操作される選択手段により選択された絵画風画像の種類に対応して、前記似顔絵画像と前記背景画像とを互いに異なる種類の絵画風画像に変換し、この変換された絵画風似顔絵画像と絵画風背景画像とを合成する絵画風画像合成ステップと、を備えていることを特徴とする。
【００１５】
また、請求項１０記載の発明に係る画像処理方法は、請求項６記載の画像処理方法において、前記絵画風画像作成ステップにより合成された絵画風画像を表示させる表示制御ステップを備えることを特徴とする。
【発明の効果】
【００１６】
本発明によれば、鑑賞者の意図を充分に反映した絵画風画像を確実かつ容易に作成することができる。
【００１７】
また、本発明によれば、画像記憶手段に記憶されている撮影画像の中に含まれている顔画像を検出し、この検出された顔画像に対応する似顔絵画像を作成した上で、この作成された似顔絵画像と顔画像を除いた背景画像とを互いに異なる絵画風画像にそれぞれ変換し、この変換された絵画風似顔絵画像と絵画風背景画像とを合成して絵画風画像を確実かつ容易に作成することができる。
【００１８】
更に、本発明によれば、絵画風似顔絵画像と絵画風背景画像とが合成された絵画風画像を表示部に表示することができる。
【図面の簡単な説明】
【００１９】
【図１】本発明の一実施の形態に係るデジタルカメラと表示装置との外観を示す図である。
【図２】同デジタルカメラと表示装置との電気的構成の概略を示すブロック構成図である。
【図３】ＲＡＭのメモリ構成図である。
【図４】ＲＯＭのメモリ構成図である。
【図５】本発明の一実施の形態における撮影画像変換表示処理手順を示すフローチャートである。
【図６】（a）および（ｂ）は撮影画像と当該撮影画像の中から顔画像を検出中の画像との表示例を示す図である。
【図７】撮影画像中の人物画像を似顔絵画像に置き換えた後の表示例を示す図である。
【図８】プロフィール設定の一例を示す表示例を示す図である。
【図９】似顔絵画像に対応する絵画風の種類を選択する際の表示例を示す図である。
【図１０】背景画像に対応する絵画風の種類を選択する際の表示例を示す図である。
【図１１】絵画風に変換された似顔絵画像と背景画像とを合成した後の表示例を示す図である。
【発明を実施するための形態】
【００２０】
以下、本発明の実施形態について説明する。
図１は、本発明の一実施の形態に係るデジタルカメラ１と表示装置１００との外観を示す背面図である。
このデジタルカメラ１の背面には、メニューキー２、モードダイアル３、表示部４、カーソルキー５、ＳＥＴキー６等が設けられている。また、上面にはシャッターキー８、電源ボタン９が設けられている。さらに、正面側には、後述の撮像レンズを備えた撮影部１０が設けられている。このデジタルカメラ１で撮影された撮影画像などは、内蔵された後述のＲＡＭ２２またはメモリカード２４に記憶されるようになっている。
一方、表示装置１００の表面には、装着されたメモリカード２４に記憶されている撮影画像などを表示するための表示部１３が設けられている。表示装置１００は、リモコン装置１０１により制御される。
【００２１】
図２は、デジタルカメラ１と表示装置１００との電気的構成の概略を示すブロック構成図である。
デジタルカメラ１は、撮像部１０とＣＰＵ１１とを備えている。前者の撮像部１０は、ＣＣＤを備えている。後者のＣＰＵ１１は、このＣＣＤにより撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えている。
【００２２】
撮像部１０を構成しているＣＣＤの受光面には、撮像レンズ、フォーカスレンズ、絞りを通過して被写体の光学像が結像される。フォーカスレンズはＡＦモータ等からなる駆動機構に保持されており、ＣＰＵ１１からの制御信号によりＡＦドライバーが出力する駆動信号が駆動機構に供給されることにより光軸上を前後に移動する合焦動作を行う。絞りは、ＣＰＵ１１からの制御信号に基づき絞り駆動部が発生する駆動信号により駆動しＣＣＤに入射する被写体像の光量を調整する。
【００２３】
また、ＣＰＵ１１には、タイミング信号を発生するＴＧ（Timing Generator）が接続されており、このＴＧが発生したタイミング信号に基づきＶドライバー（垂直方向ドライバー）がＣＣＤを駆動し、それに伴いＣＣＤにより被写体像の輝度に応じたアナログの撮像信号が出力されユニット回路へ送られる。
【００２４】
ユニット回路は、ＣＣＤから出力された撮像信号を保持するＣＤＳと、このＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤの出力信号は、ここで黒レベルを合わせてサンプリングされデジタル信号としてＣＰＵ１１に送られる。ゲイン調整アンプ（ＡＧＣ）は、ＩＳＯ感度に応じた増幅率で、ＣＤＳから供給される撮像信号を増幅する。
【００２５】
ＣＰＵ１１には、シャッターキー８を含む前記キー群をからなる入力部２１のほかに、表示部４、ＲＡＭ２２、ＲＯＭ２３、メモリカード２４が接続されている。
【００２６】
ＲＡＭ２２は作業用のメモリであり、メモリカード２４は画像記録用のメモリである。ＣＣＤからＣＰＵ１１に送られたデジタル信号である撮像信号は、ＲＡＭ２２に一時保存されるとともに、ＣＰＵ１１によって各種の画像処理が施された後、最終的には圧縮された画像データとしてメモリカード２４に記録される。なお、このメモリカード２４はカメラ本体に着脱自在なカード型のものである。
【００２７】
メモリカード２４に記録された撮影画像等は、必要に応じてＣＰＵ１１に読み出され、伸長処理、輝度信号及び色信号の付加等の処理を経てデジタルビデオ信号やアナログビデオ信号に変換され、表示部４によって表示される。また表示部４には、記録モードにおいて周期的に撮像された画像がスルー画像として表示される。
【００２８】
ＲＯＭ２３は、ＣＰＵ１１における各部の制御及びデータ処理に必要な各種の動作プログラムが記録されたプログラムＲＯＭである。すなわち、ＲＯＭ２３には、前記プログラムとともに、撮影時の適正な露出値に対応するＩＳＯ感度とシャッタースピードとの組み合わせを示すプログラム線図等の各種データが格納されている。
【００２９】
ＣＰＵ１１は、シャッタースピードであるＣＣＤの電荷蓄積時間や、前記絞りの開放度、前記ユニット回路のゲイン調整アンプ（ＡＧＣ）のゲインの制御によるＡＥ制御を行うとともに、所定のプログラムに従い、フォーカスレンズを駆動するＡＦ（オートフォーカス）制御、ＡＷＢ（オートホワイトバランス）制御を行う。メモリカード２４は、撮影された撮影画像などを記憶する。
【００３０】
ＲＡＭ２２内には、図３に示す絵画風変換データエリア２２１が設けられている。この絵画風変換データエリア２２１には、第１記憶部２２２、第２記憶部２２３、第３記憶部２２４、第４記憶部２２７、及び第５記憶部２２９が設けられている。第３記憶部２２４は、絵画風顔画像記憶部２２５と座標記憶部２２６とに区分されている。
【００３１】
第１記憶部２２２には、撮影された撮影画像が記憶される。第２記憶部２２３には、撮影画像の中に存在する顔画像が記憶される。また、第３記憶部２２４には、人物画像中の顔画像を絵画風画像に変換された後の絵画風顔画像が記憶され、また、座標記憶部２２６には、当該絵画風顔画像の座標位置を示す位置座標が記憶される。第４記憶部２２７は、背景画像を絵画風画像に変換された後の絵画風背景画像が記憶され、また、座標記憶部２２８には、当該絵画風背景画像の座標位置を示す位置座標が記憶される。更に、第５記憶部２２９は、絵画風顔画像と絵画風背景画像とを合成した後の、最終的な絵画風画像を生成する際に使用される記憶領域である。
なお、座標記憶部２２６内の位置座標は、当該顔画像の全域内の全てのドットの座標、顔のみの座標、その他、複数点の座標等、当該顔画像中における位置を特定できる複数の座標であれば、どのような座標であってもよい。
また、ＲＯＭ２３内には、顔画像を構成している複数のパーツ別に、互いに異なる複数のパーツ画像が設けられている。
たとえば、図６に示すように、複数のパーツである「まゆ毛」「目」「鼻」「口」別に、互いに異なる複数のパーツ画像が設けられている。
【００３２】
一方、表示装置１００は、撮影部１０を除き、デジタルカメラ１の構成と同様な構成を備えている。
【００３３】
以上の構成に係る本実施の形態において、デジタルカメラ１はＣＰＵ１１がＲＯＭ２３に格納されているプログラムに従って処理を実行することにより、図５のフローチャートに示す絵画風画像作成処理を実行する。
【００３４】
すなわち、使用者がこのデジタルカメラ１を携帯し、例えば、被写体として、背景を富士山とし、前面を人物とするシーンのもとでシャッターキー８を押下すると、ＣＰＵ１１は撮影処理を開始し、撮影部により、図６（a）に示したように、富士山画像６aと人物画像６ｂとからなる撮影画像６を取得する。この取得された撮影画像６は、ＲＡＭ２２における第１記憶部２２２に記憶される。
【００３５】
次に、ＣＰＵ１１は、撮影画像表示処理を実行して、表示部４に撮影した撮影画像６を表示させる（ステップＳ１０１）。これにより、表示部４には、図６（a）に示した撮影画像６が表示される。
引き続き、ＣＰＵ１１は、撮影画像６の中に存在する人物画像６ｂのうちの顔画像部分を検出する（ステップＳ１０２）。この被写体別の顔検出は、公知の顔検出技術を用いて人物の顔検出を行う。顔検出が終了すると、その検出された顔画像６Ａの周りに枠６ｃが表示される。
【００３６】
さらに、この顔検出した顔画像６Ａと、それ以外の背景画像６ａとが第２記憶部２２３に記憶される。これにより、図３に示すように、第２記憶部２２３の人物画像記憶部２２５には、人物画像６ａのうちの顔画像６Ａが記憶され、また、座標記憶部２２６には、当該顔画像６Ａの位置座標（ｘ１，ｙ１）・・・が記憶される。
【００３７】
次に、ＣＰＵ１１は、検出された人物の顔画像６Ａを構成している部位毎の部分画像と同じまたは似ている部分画像を部分画像記憶用ＲＯＭ２３Ａの中から部位毎に検索する。部分画像記憶用ＲＯＭ２３Ａは、図４に示すように、複数の部位毎に複数の部分画像４Ａ１〜４ＤＮを記憶している。
図４には、各部位を示す「まゆ毛」「目」「鼻」「口」・・・毎の記憶領域４Ａ〜４Ｄに、互いに異なる形状の複数の部分画像４Ａ１〜４ＤＮが記憶されている例を示す。
ＣＰＵ１１は、検索した結果、撮影された顔画像６Ａを構成している部位毎の部分画像と同じまたは似ている部分画像が部分画像記憶用ＲＯＭ２３Ａの中に存在していれば、部分画像表示部上の該当する部分画像を識別表示する。この例では、図６（ｂ）に示すように、該当する部分画像は、斜線で示すように、部分画像４Ａ１，４Ｂ２，４Ｃ３，４Ｄであり、撮影画像６の中の顔画像６ｂを構成している各部分画像は、部分画像記憶用ＲＯＭ２３Ａ内に記憶されている部分画像とまったく同じ形状の部分画像４Ａ１，４Ｂ２，４Ｃ３，４Ｄ２であったことを示している。
次に、ＣＰＵ１１は、図６（ｂ）に示すように、部分画像記憶用ＲＯＭ２３Ａから読み出された部位毎の部分画像４Ａ１，４Ｂ２，４Ｃ３，４Ｄ２を組み合わせて第１の似顔絵画像Ｎ１を作成する。この第１の似顔絵画像Ｎ１は、撮影された顔画像６Ａに基づいて、当該顔画像６Ａと同じまたは似ている部分画像を組み合わせて最初に作成された似顔絵画像である。
ユーザは、この第１の似顔絵画像６Ｂのうちの少なくとも一部分の部分画像を置き換えたいと考えた場合は、入力部２１のキー操作により他の部分画像を選択する。
例えば、「まゆ毛」は、右隣のまゆ毛の部分画像４Ａ２を選択し、「目」は、右隣の目の部分画像４Ｂ３を選択し、「鼻」は、部分画像４Ｃ３のままで変えず、「口」は、左隣の口の部分画像４Ｄ１を選択する。
このようにして、作成された第１の似顔絵画像Ｎ１のうちの少なくとも一部の部分画像を他の部分画像と置き換えると、この置き換えられた他の部分画像４Ａ２、４Ｂ３、４Ｃ３、４Ｄ１と、置き換えられていない部分画像４Ｃ３とを組み合わせて第２の似顔絵画像Ｎ２を人物画像として作成する。
この実施の形態の場合、撮影画像６Ａに基づいて作成された第１の似顔絵画像Ｎ１をユーザの指示に従って第２の似顔絵画像Ｎ２を作成したが、撮影画像６Ａに基づいて第１の似顔絵画像Ｎ１を作成したのみで、似顔絵作成処理（ステップＳ１０３）を終了としてもよい。
【００３８】
次に、ＣＰＵ１１は、プロフィール設定処理を実行する（ステップＳ１０４）。このプロフィール設定処理は、第２の似顔絵画像Ｎ２である人物画像に対応した「氏名」「性別」「誕生日」「自己紹介」などのプロフィールデータを入力し、この入力されたプロフィールデータを人物画像に対応付けてＲＡＭ２２に記憶することにより行われる。
このプロフィール設定処理は、人物画像が誰であるかを明確にすることができる。
【００３９】
次に、ＣＰＵ１１は、第２の似顔絵画像Ｎ２である人物画像に対応する絵画風の種類を選択する際の処理に移行する（ステップＳ１０５）。
図９は、似顔絵画像に対応する絵画風の種類を一覧表示した場合の表示例を示す図である。この図に示すように、「人物画像に対応して変換したい絵画風の種類を選択してください」と、使用者に絵画風の種類の選択を促すメッセージ部９０を表示する一方で、その下部位置に、絵画風の種類を示す項目９Ａ〜９Ｆ（または種類アイコンでもよい）を表示する。
【００４０】
次に、ＣＰＵ１１は、この絵画風の種類を一覧表示したあとに、使用者が絵画風の種類を選択するための入力部２１内の選択スイッチ２１aが操作されたか否かを判別する（ステップＳ１０６）。
【００４１】
次に、ＣＰＵ１１は、選択スイッチ２１aが操作されたことを判別した際は、この選択スイッチ２１aの操作により選択された絵画風の種類に応じた絵画風変換処理を実行する（ステップＳ１０７）。
【００４２】
図９の左画面は、この絵画風変換処理の実行により作成された人物絵画風画像Ｎ３を示す。
すなわち、選択スイッチ２１aの操作により、「色鉛筆画風Ａ」の項目が選択されると、ＣＰＵ１１は、この絵画風変換処理のために、人物画像である第２の似顔絵画像Ｎ２に基づいて、図９の左部画面のような人物絵画風画像Ｎ３に画像変換する。この「色鉛筆画風Ａ」に従って作成された人物絵画風画像Ｎ３が表示される。
選択スイッチ２１aの操作により、「色鉛筆画風Ｂ」の項目が選択されると、この選択された「色鉛筆画風Ｂ」に従って作成された人物絵画風画像Ｎ３が表示される。選択スイッチ２１aの操作により、「水墨画風Ａ」の項目が選択されると、この選択された「水墨画風Ａ」に従って作成された人物絵画風画像Ｎ３が表示される。以下、他の選択も同様である。
【００４３】
このようにして作成された人物絵画風画像Ｎ３は、ＲＡＭ２２に記憶される。
【００４４】
次に、ＣＰＵ１１は、背景画像に対応する絵画風の種類を選択する際の処理に移行する（ステップＳ１０８）。
図９は、背景画像に対応する絵画風の種類を一覧表示した場合の表示例を示す図である。この図に示すように、「背景画像に対応して変換したい絵画風の種類を選択してください」と、使用者に絵画風の種類の選択を促すメッセージ部９０を表示する一方で、その下部位置に、絵画風の種類を示す項目９Ａ〜９Ｆ（または種類アイコンでもよい）を表示する。
【００４５】
次に、ＣＰＵ１１は、この絵画風の種類を一覧表示したあとに、使用者が絵画風の種類を選択するための入力部２１内の選択スイッチ２１aが操作されたか否かを判別する（ステップＳ１０９）。
【００４６】
次に、ＣＰＵ１１は、選択スイッチ２１aが操作されたことを判別した際は、この選択スイッチ２１aの操作により選択された絵画風の種類に応じた絵画風変換処理を実行する（ステップＳ１１０）。
【００４７】
図１０の左画面は、この絵画風変換処理の実行により作成された絵画風背景画像１０Ｂを示す。
すなわち、選択スイッチ２１aの操作により、「油絵画風Ａ」の項目が選択されると、ＣＰＵ１１は、この絵画風変換処理のために、図１０の左部画面のような絵画風背景画像１０Ｂに画像変換する。この「油絵画風Ａ」に従って作成された絵画風背景画像１０Ｂが表示される。
選択スイッチ２１aの操作により、「水彩画風Ｂ」の項目が選択されると、この選択された「水彩画風Ｂ」に従って作成された水彩画風画像１０Ｂが表示される。選択スイッチ２１aの操作により、「油絵画風Ａ」の項目が選択されると、この選択された「油絵画風Ａ」に従って作成された油絵画風画像１０Ｂが表示される。以下、他の選択も同様である。
このようにして作成された背景画風画像１０Ｂは、ＲＡＭ２２に記憶される。
【００４８】
次に、ＣＰＵ１１は、絵画風合成画面を表示する処理に移行する（ステップＳ１１１）。
図１１は、絵画風合成画面を表示した場合の表示例を示す図である。この図１１の右画面は、「似顔絵画像と背景画像とに設定された絵画風画像の種類は次のとおり」と、使用者が設定した絵画風画像の種類を示すメッセージ部１４Ａを表示する一方で、その下部位置に、「似顔絵画像」と当該似顔絵画像に設定された「色鉛筆画風Ａ」、「背景画像」と当該背景画像に設定された「油絵画風Ａ」を示す選択項目１４Ｂ、１４Ｃ（またはアイコンでもよい）を表示する。
他方、この図１１の左画面には、色鉛筆画風の似顔絵画像と油絵画風の背景画像とを合成した後の合成画像が表示される。
【００４９】
以上のような実施の形態によれば、記憶されている撮影画像の中に含まれている顔画像を検出し、この検出された顔画像に対応する似顔絵画像を作成した上でこの作成された似顔絵画像と顔画像を除いた背景画像とを互いに異なる絵画風画像に変換し、この変換された絵画風似顔絵画像と絵画風背景画像とを合成することができるので、似顔絵画像Ｎ２，Ｎ３と背景画像６ａとを互いに異なる絵画風画像に変換され、合成された絵画風画像Ｋを、迅速かつ容易に観賞することができる。
【００５０】
また、この表示させた絵画風画像をメモリカード２４に記憶し、この記憶されたメモリカード２４を表示装置１００に装着すれば、当該表示装置１００に設けられている大画面の表示部１３により、絵画風画像Ｋを観賞することもできる。
【００５１】
なお、本実施の形態においては、本発明をデジタルカメラに適用した場合を示したが、デジタルカメラに限らず、携帯電話等の他の電子機器に適用するようにしてもよい。
また、本実施の形態においては、顔画像を検出し、この検出した顔画像に基づいて顔の似顔絵画像を作成した場合について説明しているが、顔を含む身体全体の画像を検出し、この検出した身体画像に基づいて身体全体の似顔絵画像を作成してもよい。
また、本実施の形態においては、人間の顔画像を検出し、この検出した人間の顔画像に基づいて人間の顔の似顔絵画像を作成した場合について説明しているが、人間以外の動物、仮想動物、予め定められている形状を備えている建造物などの物体の画像を検出し、この検出した物体画像に基づいて、当該物体画像用の変換対象画像を作成してもよい。このように「似顔絵画像」は、実際に撮影された顔に似せた画像のほかに、物体画像を含む広い概念である。
【符号の説明】
【００５２】
１    デジタルカメラ
４    表示部
１０    撮像部
１１    ＣＰＵ
２４    メモリカード
【図１】
0005434718.tif 000002
【図２】
0005434718.tif 000003
【図３】
0005434718.tif 000004
【図４】
0005434718.tif 000005
【図５】
0005434718.tif 000006
【図６】
0005434718.tif 000007
【図７】
0005434718.tif 000008
【図８】
0005434718.tif 000009
【図９】
0005434718.tif 000010
【図１０】
0005434718.tif 000011
【図１１】
0005434718.tif 000012